(57)【要約】      （修正有）【課題】フィルターを用いて室内空間の空気の清浄化を行う空気清浄機において、フィルターの性能を長期間維持し清掃メンテナンス頻度を抑制する。【解決手段】筐体１と当該筐体の前面に設けられた吸気パネル１０外周との隙間で形成される第一吸込み口６と、吸気パネル１０の前面に複数の開口部８ａ〜８ｅと当該複数の開口部を各々に独立して開閉を切替える複数のスライド板９ａ〜９ｅとで形成される第二吸込み口を設け、制御部は空気清浄部４の状態に応じて前記スライド板の開閉駆動を制御する構成にしたことにより、フィルターの目詰まりに応じて汚れた空気の吸込み箇所を切替える制御を行う。【選択図】図１
2017080707.tif 000002
【特許請求の範囲】
【請求項１】
筐体と、
前記筐体内に空気を取り入れる吸込み口と、
前記筐体内に取り入れた空気を吹き出す吹出し口と、
前記吸込み口から前記吹出し口に空気を導く送風部と、
前記吸込み口から吸い込んだ空気を浄化する空気清浄部と、
前記吸込み口の開閉を制御する制御部とを備え、
前記吸込み口は、
前記筐体と当該筐体の前面に設けられた吸気パネル外周との隙間で形成される第一吸込み口と、
前記吸気パネルの前面に設けられた複数の開口部と当該複数の開口部を各々に独立して開閉を切替えるスライド板とで形成される第二吸込み口とを有し、
前記制御部は、
前記スライド板の開閉駆動を制御する空気清浄機。
【請求項２】
前記空気清浄部による浄化前の空気中の汚れ状態を検出する汚れ検出手段を備え、
前記制御部は、
前記汚れ検出手段が検出した汚れ状態に基づいて前記スライド板の駆動を制御する請求項１記載の空気清浄機。
【請求項３】
前記空気清浄部における汚れの積算量を算出する積算量算出部を備え、
前記制御部は、
前記積算量算出部が算出した積算量が予め設定された所定の水準以上に達した場合に前記スライド板の駆動を制御する請求項２に記載の空気清浄機。
【請求項４】
前記制御部による前記スライド板の駆動の制御は、
前記第二吸込み口を構成する開口部の全部または一部の開閉状態を反転する請求項３記載の空気清浄機。
【請求項５】
前記汚れ検出手段は、
前記汚れの原因である粒子の粒子径を判定し、
前記制御部は、
前記汚れ検出手段が検出した粒子径に基づいて前記開口部の鉛直方向における上側と下側の開口面積比を変更する請求項２から４のいずれかに記載の空気清浄機。
【請求項６】
前記制御部は、
前記粒子径が大きいほど前記鉛直方向における下側の開口面積を増加させる請求項５記載の空気清浄機。
【請求項７】
前記制御部は、
前記スライド板の開閉駆動に加えて前記第一吸込み口の開閉駆動を制御する請求項１から６のいずれかに記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、外郭を構成する本体外郭部に空気吸込み穴を設けられたものが知られている（例えば、特許文献１参照）。
【０００３】
以下、その空気清浄機について図９を参照しながら説明する。
【０００４】
図９に示すように、従来の空気清浄機１００１は、本体１００２と集塵フィルター１００３と脱臭フィルター１００４とフロントパネル１００５と本体１００２内に配置されたモータとファンからなる送風機（いずれも図示せず）とフロントパネル１００５内に配置された空気吸込穴１００６とで構成されている。
【０００５】
そして、送風機の駆動により室内の汚れた空気を空気吸込穴１００６から吸込み、集塵フィルター１００３と脱臭フィルター１００４に通風させることで空気の清浄を行っている。
【先行技術文献】
【特許文献】
【０００６】
【特許文献１】特開２００３−９０５７１号公報
【発明の概要】
【発明が解決しようとする課題】
【０００７】
このような従来の空気清浄機１００１においては、集塵フィルター１００３は、空気吸込穴１００６で開口されたエリアを中心に汚れて行く。そして、集塵フィルター１００３は、捕集された粉塵で目詰まりを起こし空気吸込穴１００６を塞いでしまうので、性能が低下してしまうという課題を有していた。
【０００８】
さらに、空気吸込穴１００６で開口されていないエリアの集塵フィルター１００３は、目詰まりを起こしていないにも関わらず空気が通過しない。従って、フィルターのサイズが大きいにもかかわらず性能低下が早い。結果として、性能を回復させるため集塵フィルターの清掃メンテナンスの頻度が高くなり、使い勝手が悪いという課題を有していた。
【０００９】
また、室内空間の空気汚れの原因である粉塵の環境状況、すなわち粉塵の浮遊状態に関わらず常に固定位置の空気吸込穴１００６から吸込むため、粉塵の粒子径によっては吸込めなかったり集塵効率が悪いという課題を有していた。
【００１０】
そこで本発明は、上記従来の課題を解決するものであり、フィルターの目詰まりに応じて汚れた空気の吸込み箇所を切替える制御を行うことで、フィルターの性能を長期間維持し清掃メンテナンス頻度を抑制することができる空気清浄機を提供することを目的とする。また、室内空間に浮遊する粉塵粒子に応じて汚れた空気の吸込み箇所を切替える制御を行うことで、環境状況に合った適切な空気浄化ができる空気清浄機を提供することを目的とする。
【課題を解決するための手段】
【００１１】
そして、この目的を達成するために、本発明に係る空気清浄機は、筐体と、前記筐体内に空気を取り入れる吸込み口と、前記筐体内に取り入れた空気を吹き出す吹出し口と、前記吸込み口から前記吹出し口に空気を導く送風部と、前記吸込み口から吸い込んだ空気を浄化する空気清浄部と、前記吸込み口の開閉を制御する制御部とを備え、前記吸込み口は、前記筐体と当該筐体の前面に設けられた吸気パネル外周との隙間で形成される第一吸込み口と、前記吸気パネルの前面に設けられた複数の開口部と当該複数の開口部を各々に独立して開閉を切替えるスライド板とで形成される第二吸込み口とを有し、前記制御部は、前記スライド板の開閉駆動を制御するものであり、これにより所期の目的を達成するものである。
【発明の効果】
【００１２】
本発明によれば、フィルターの目詰まりに応じて汚れた空気の吸込み箇所を切替える制御を行うことで、フィルターの性能を長期間維持し清掃メンテナンス頻度を抑制することができるという効果を得ることができる。また、室内空間に浮遊する粉塵粒子に応じて汚れた空気の吸込み箇所を切替える制御を行うことで、環境状況に合った適切な空気浄化ができるという効果を得ることができる。
【図面の簡単な説明】
【００１３】
【図１】本発明の実施の形態１に係る空気清浄機を示す外観斜視図
【図２】本発明の実施の形態１に係る空気清浄機の一例を示す吸気パネル図
【図３】本発明の実施の形態１に係る空気清浄機の別例を示す吸気パネル図
【図４】本発明の実施の形態１に係る空気清浄機の概略構成を示すブロック図
【図５】本発明の実施の形態１に係る積算手順を示すフローチャート
【図６】本発明の実施の形態２に係る積算時間に応じた開閉制御を示すフローチャート
【図７】本発明の実施の形態２に係る空気清浄機の一例を示す吸気パネル図
【図８】本発明の実施の形態２に係る空気清浄機の制御パターンを示すテーブル図
【図９】従来の空気清浄機の概略構成図
【発明を実施するための形態】
【００１４】
本発明に係る空気清浄機は、筐体と、前記筐体内に空気を取り入れる吸込み口と、前記筐体内に取り入れた空気を吹き出す吹出し口と、前記吸込み口から前記吹出し口に空気を導く送風部と、前記吸込み口から吸い込んだ空気を浄化する空気清浄部と、前記吸込み口の開閉を制御する制御部とを備え、前記吸込み口は、前記筐体と当該筐体の前面に設けられた吸気パネル外周との隙間で形成される第一吸込み口と、前記吸気パネルの前面に設けられた複数の開口部と当該複数の開口部を各々に独立して開閉を切替えるスライド板とで形成される第二吸込み口とを有し、前記制御部は、前記スライド板の開閉駆動を制御するという構成にしたものである。
【００１５】
これにより、フィルターの目詰まりに応じて汚れた空気の吸込み箇所を切替える制御を行うことで、フィルターの性能を長期間維持し清掃メンテナンス頻度を抑制することができるという効果を奏する。また、室内空間に浮遊する粉塵粒子に応じて汚れた空気の吸込み箇所を切替える制御を行うことで、環境状況に合った適切な空気浄化ができるという効果を奏する。
【００１６】
また、前記空気清浄部による浄化前の空気中の汚れ状態を検出する汚れ検出手段を備え、前記制御部は、前記汚れ検出手段が検出した汚れ状態に基づいて前記スライド板の駆動を制御するという構成にしてもよい。
【００１７】
これにより、フィルターの目詰まり状態や室内空間に浮遊する粉塵粒子をより精確に判断することができるという効果を奏する。
【００１８】
また、前記空気清浄部における汚れの積算量を算出する積算量算出部を備え、前記制御部は、前記積算量算出部が算出した積算量が予め設定された所定の水準以上に達した場合に前記スライド板の駆動を制御するという構成にしてもよい。
【００１９】
これにより、フィルターに捕集した粉塵汚れ量からフィルターの目詰まり状態をより精確に判断することができるという効果を奏する。
【００２０】
また、前記制御部による前記スライド板の駆動の制御は、前記第二吸込み口を構成する開口部の全部または一部の開閉状態を反転するという構成にしてもよい。
【００２１】
これにより、フィルターが目詰まりした開口部のスライド板は閉じ、フィルターが目詰まりしていない開口部のスライド板は開くことで、フィルターの性能を維持し清掃メンテナンス頻度を抑制することができるという効果を奏する。
【００２２】
また、前記汚れ検出手段は、前記汚れの原因である粒子の粒子径を判定し、前記制御部は、前記汚れ検出手段が検出した粒子径に基づいて前記開口部の鉛直方向における上側と下側の開口面積比を変更するという構成にしてもよい。
【００２３】
これにより、室内空間に浮遊する粉塵粒子に応じて汚れた空気の吸込み箇所を切替える制御を行うことで、環境状況に合った適切な空気浄化ができるという効果を奏する。
【００２４】
また、前記制御部は、前記粒子径が大きいほど前記鉛直方向における下側の開口面積を増加させるという構成にしてもよい。
【００２５】
これにより、床上近傍に沈降し易く室内の低域空間に浮遊する大きい粒子径の検出が増加すると下側の吸込み風量を増加させることで、低域空間の汚れた空気を多く浄化できるという効果を奏する。
【００２６】
また、前記制御部は、前記スライド板の開閉駆動に加えて前記第一吸込み口の開閉駆動を制御するという構成にしてもよい。
【００２７】
これにより、フィルターの目詰まりに応じて汚れた空気の吸込み箇所を切替える制御の範囲が拡大することで、よりフィルターの性能を長期間維持し清掃メンテナンス頻度を抑制することができるという効果を奏する。また、室内空間に浮遊する粉塵粒子に応じて汚れた空気の吸込み箇所を切替える制御の範囲が拡大することで、より環境状況に合った適切な空気浄化ができるという効果を奏する。
【００２８】
以下、本発明の実施の形態について図面を参照しながら説明する。なお、以下の実施の形態は、本発明を具体化した一例であって本発明の技術的範囲を限定するものではない。また、全図面を通して、同一の部位については同一の符号を付して説明を省略している。さらに、各図面において、本発明に直接には関係しない各部の詳細については説明を省略している。
【００２９】
（実施の形態１）
図１に本発明に係る空気清浄機の外観を示す斜視図を、図２に本実施の形態の一例を示す吸気パネル図を、図３に本実施の形態の別例を示す吸気パネル図を、図４に本実施の形態の空気清浄機の概略構成ブロック図を示す。
【００３０】
図１の外観斜視図と図４のブロック図に示すように、空気清浄機は筐体１と吹出し口２と吸込み口２０と送風部３と空気清浄部４と制御部５と第一吸込み口６と第二吸込み口７と吸気パネル１０と汚れ検出手段１１と積算量算出部１２を備える。電源や操作部等については図示および説明を省略する。また、空気清浄機に取り込まれる気流を吸込み気流１３として、空気清浄機から吹出されている気流を吹出し気流１４として示す。
【００３１】
筐体１は、略箱型に形成されており、空気清浄機の内部と外部とを区切る外郭として機能し、主にプラスチック樹脂によって構成されている。
【００３２】
吹出し口２は、筐体１の内部の空気を筐体１の外部に排出するための開口として、筐体１の上面に設けられる。吹出し口２の上部には、回動により吹出し口２から吹き出された空気の風向を変更するルーバーが設けられる。
【００３３】
吸込み口２０は、第一吸込み口６と第二吸込み口７とを備える。
【００３４】
第一吸込み口６は、筐体１と筐体１の前面に設けられた吸気パネル１０における外周との隙間で形成されている。ここで言う筐体１の前面とは、例えば略箱型における最も広い面積を持つ面を指し、空気清浄機に対して入力を行う際の入力パネルは、前面に使用者が位置するものとして設計される。
【００３５】
吸気パネル１０は、略矩形で板状をしており、幅は筐体１の幅とほぼ一致する。
【００３６】
第二吸込み口７は、吸気パネル１０の前面に設けられた５つの開口部８ａ〜８ｅと５つのスライド板９ａ〜９ｅとで形成されている。第二吸込み口７は、例えば図２に示すように、上下に横長の開口部８ａ〜８ｅを５つ並べて構成している。また、開口部８ａ〜８ｅをそれぞれ開閉可能に５つのスライド板９ａ〜９ｅを上下に並べて構成している。ただし、図３に示すように、開口部及びスライド板を左右に並べる構成にしてもよい。また、第二吸込み口７は、複数の開口部と開閉を切替えるスライド板とで構成できれば良く、上下左右の組合せ等によって構成してもよい。
【００３７】
５つのスライド板９ａ〜９ｅによる５つの開口部８ａ〜８ｅの開閉は、各々切替えることができればよく、その開閉方法は問わない。
【００３８】
空気清浄部４は、例えば繊維やスポンジ状の素材からなり、内部に無数の孔を備えることで当該内部を空気が通過することができる、いわゆるフィルターである。空気清浄部４は、第一吸込み口６及び第二吸込み口７を吹出し口２とつなぐ風路上に備えられ、吸込み気流１３を通過させることによって空気を濾過する。
【００３９】
送風部３は、第一吸込み口６及び第二吸込み口７を吹出し口２とつなぐ風路内に備えられる。送風部３は、第一吸込み口６及び第二吸込み口７から筐体１内に空気を取り入れ、吹出し口２から吹き出し、つまり吸込み気流１３と吹出し気流１４を生成する。言い換えると、第一吸込み口６及び第二吸込み口７から吹出し口２へ空気を導く機能を提供する。送風部３は、例えばファンおよびモータ等によって構成することができる。また、送風部３はモータの回転数を制御することで風量を調整できるようにしても良いが、さらにステッピングモータなどを介して開度を電気信号により連続的に調整できる電磁弁等を備え、弁の開度を制御して風路内の風量を調整する構成としても良い。
【００４０】
汚れ検出手段１１は、筐体１の表面もしくは筐体１内で第一吸込み口６および第二吸込み口７から空気清浄部４までの間の風路等、空気清浄部４で濾過される前の空気に接する位置に備えられる。汚れ検出手段１１は、接した空気の汚れ状態を判定して制御部５および積算量算出部１２に通知する。汚れ検出手段１１は、例えば空気中に含まれるほこりや微粒子等の数および粒子径を計測するセンサ等によって構成することができる。なお、汚れ検出手段１１を筐体１の外部に配置して、通信によって制御部５および積算量算出部１２に通知する構成としても良い。
【００４１】
積算量算出部１２は、筐体１内に備えられ、汚れ検出手段１１からの汚れ状態信号を時系列的に記憶し積算して制御部５に通知する。積算量算出部１２は、例えば電子回路やマイクロコンピュータ（マイコン）等によって構成することができる。
【００４２】
制御部５は、空気清浄機の動作時間および送風部３の風量、さらには汚れ検出手段１１および積算量算出部１２から通知される情報に基づいてスライド板９ａ〜９ｅの動作を制御する。制御部５は、例えば電子回路やマイコン等によって構成することができる。
【００４３】
以下、制御部５の制御の詳細について、図４、図５及び図６を参照しながら説明する。図５は制御部５において、空気清浄機の動作時間および送風部３の風量の情報を入力とした場合の積算手順を示すフローチャート、図６は制御部５において、積算時間に応じたスライド板９ａ〜９ｅの開閉制御を示すフローチャートである。ここで、Ｓを頭文字にして番号を割り振った。例えばＳ５０１などは処理ステップを指す。但し、処理ステップを示す数値の大小と処理順序は関係しない。
【００４４】
まず、制御部５は、空気清浄機の運転を開始する（Ｓ５０１）。
【００４５】
次に制御部５は、スライド板９ａ〜９ｅの全てを閉方向に駆動制御し開口部８ａ〜８ｅを閉じる（Ｓ５０２）。
【００４６】
続いて制御部５は、汚れ検出手段１１から、空気清浄機の周囲の空間における空気の汚れ情報を取得する。ここで空気の汚れ情報は、空気の汚れ状態に応じてレベルで出力され、例えば汚れが無い状態をレベル０とし、汚れがひどい場合をレベル５とする。なお、汚れ情報は常に制御部５に入力される（Ｓ５０３）。
【００４７】
制御部５が汚れ情報を取得すると、続いて送風部の風量情報を取得する。ここで送風部の風量情報とは、例えば送風装置に設定された風量に対応する「弱」、「強」などでもよいし、実際に風量センサを設けて適宜風量センサが検知する風量のレベルを取得しても良い。ここでは設定された風量を風量情報とし、例として風量情報には「弱」、「強」の二種があるものとする（Ｓ５０４）。
【００４８】
続いて制御部５は、取得した汚れ情報（例えばレベル５）と風量情報（例えば強）とに基づいて、単位時間に空気清浄部４に堆積するであろう汚れ度合いを予測（算出）する。
【００４９】
さらに制御部５は、予測した汚れ度合いと当該汚れ度合いの状態にて駆動した時間とを積算し、汚れ記憶手段に記憶された過去の積算時間との和を算出して、再度汚れ記憶手段に記憶する（Ｓ５０５）。つまり、汚れ記憶手段には、過去の駆動によって堆積しているであろう汚れの積算値すなわち総量が記憶されている。なお、汚れの積算値の記憶は、随時、あるいは空気清浄装置の例えば動作終了時などに適宜行われる。
【００５０】
以上が制御部５による汚れの積算量の算出処理である。
【００５１】
続いて制御部５による、汚れの積算量に応じて吸込み口２０を制御する手順について図６を参照しながら説明する。
【００５２】
まず、制御部５は、空気清浄機の運転を開始する（Ｓ６０１）。
【００５３】
次に制御部５は、第一の汚れ記憶手段に記憶された汚れの積算値を読み出して、当該積算値が予め設定された第一の閾値以上かあるいは未満かを判定する（Ｓ６０２⇒Ｓ６０３）。なお第一の閾値は、所定の水準以上の汚れ度合いと言い換えることができる。
【００５４】
ここで、汚れの積算値が第一の閾値未満である場合、制御部５は吸込み口２０の状態をパターンＡとする（Ｓ６０４）。
【００５５】
また、汚れの積算値が第一の閾値以上である場合、制御部５は吸込み口２０の状態をパターンＢとする（Ｓ６０５）。
【００５６】
吸込み口２０のパターンが決定すると、制御部５は、吸込み口２０の状態を決定したパターンに対応する状態に変更し、送風部３を動作させることにより、空気の清浄を行う（Ｓ６０６）。
【００５７】
次に上述のパターンについて説明する。
【００５８】
パターンＡとは、例えば５つの開口部８ａ〜８ｅのうち、開口部８ｂ、８ｄの２つのみを開状態とする状態である。
【００５９】
またパターンＢとは、５つの開口部８ａ〜８ｅのうち、開口部８ａ、８ｃ、８ｅの３つのみを開状態とする状態である。つまり、パターンＡの開状態に対して、パターンＢは全ての開口部を反転させた状態である。
【００６０】
このような構成によれば、運転開始後の一定期間はパターンＡにて開状態とし、開口部８ｂ、８ｄによって汚れた空気を吸込む。また一定期間経過後、つまり開口部８ｂ、８ｄに汚れが堆積し空気清浄部に粉塵が捕集され目詰まりが起きた後には開口部８ａ、８ｃ、８ｅから汚れた空気を吸込むように切替える。このようにフィルターの目詰まりに応じて汚れた空気の吸込み箇所を切替える制御を行うことで、フィルターの性能を長期間維持し清掃メンテナンス頻度を抑制することができるという効果を奏する。
【００６１】
また、空気清浄部に捕集した粉塵汚れ量の情報を加えて判断するため、より精確に空気清浄部の目詰まりを判断でき、フィルターの目詰まりに応じて汚れた空気の吸込み箇所を切替える制御を行うことで、フィルターの性能を長期間維持し清掃メンテナンス頻度を抑制することができるという効果を奏する。
【００６２】
また、制御部５は、汚れ検出手段１１の検出結果も入力情報とした制御を行い、すなわち空気清浄部が汚れ易い環境情報を加えて判断するため、より精確に空気清浄部の目詰まりを判断できる。つまりフィルターの目詰まりに応じて汚れた空気の吸込み箇所を切替える制御を行うことで、フィルターの性能を長期間維持し清掃メンテナンス頻度を抑制することができるという効果を奏する。
【００６３】
なお、本実施の形態では、汚れ検出手段１１を備えているが、必ずしも備える必要は無い。備えない場合には、例えば風量情報と送風部３の稼働時間とに基づいて汚れの積算値を算出すればよい。
【００６４】
また、本実施の形態では、積算量算出部１２を備えているが、必ずしも備える必要は無い。備えない場合には、例えば単なる稼働時間やあるいはランダムにパターンの選択を行っても良い。
【００６５】
また、本実施の形態では、パターンＡに対して全ての開口部８ａ〜８ｅの開閉状態を反転させているが、一部を反転させるものでも良い。さらにパターンを２種として説明を行ったが、さらに多くのパターンを備えても良い。例えばパターンＡでは開口部８ａ、８ｂ、パターンＢでは開口部８ｂ、８ｃ、パターンＣでは開口部８ｃ、８ｄ、パターンＤでは開口部８ｄ、８ｅ、パターンＥでは開口部８ｅ、８ａ等としてもよい。この場合、長期にわたって一定能力のろ過機能を提供することが可能となるため、空気清浄部４が能力的に余裕がある場合には、長期のメンテナンスフリーが実現できる。
【００６６】
（実施の形態２）
図７に、本実施の形態の一例を示す吸気パネル図を示す。
【００６７】
図７に示す吸気パネル１０は、吸気パネル１０の前面に設けられた４つの開口部１５ａ〜１５ｄと４つのスライド板１６ａ〜１６ｄとで形成される第二吸込み口を設けている。
【００６８】
４つの開口部１５ａ〜１５ｄは各々サイズが異なり、開口部１５ａから開口部１５ｄに向かって鉛直方向の下側にいくほど開口部のサイズは大きくなる。
【００６９】
ここで、制御部５は、図８（ａ）に示す粒子径と開閉状態の対応テーブルａを用いて、汚れ検出手段１１が検出し判定した粒子の最大粒子径の情報に基づいて、第一吸込み口６および開口部１５ａ〜１５ｄとスライド板１６ａ〜１６ｄとで形成される第二吸込み口７の開閉を制御する。
【００７０】
ここで対応テーブルａは、汚れ検出手段１１が検出する粒子径と、当該粒子径に対する第一吸込み口６及び第二吸込み口７を構成する各開口部１５ａ〜１５ｄの開閉状態とを対応付けたテーブルである。
【００７１】
対応テーブルにおいて、○は開状態を、×は閉状態を示している。
【００７２】
制御部５は、例えば汚れ検出手段１１が検出した最大粒子径が「小」の場合、第一吸込み口６と、開口部１５ａとを開状態とする。
【００７３】
また制御部５は、例えば汚れ検出手段１１が検出した最大粒子径が「大」の場合、第一吸込み口６と、開口部１５ａと、開口部１５ｂと、開口部１５ｃを開状態とする。
【００７４】
すなわち、制御部５は汚れ検出手段１１が検出し判定した粒子の最大粒子径が大きくなるほど鉛直方向における下側の開口部を開状態に切替えていく。
【００７５】
このような構成によれば、室内空間に浮遊する粉塵粒子に応じて汚れた空気の吸込み箇所を切替える制御を行うことで、環境状況に合った適切な空気浄化ができるという効果を奏する。
【００７６】
また、床上近傍に沈降し易く室内の低域空間に浮遊する大きい粒子径の検出が増加すると下側の開口面積を増加させて風量を増加させることで、低域空間の汚れた空気を多く浄化できるという効果を奏する。
【００７７】
また、図８（ｂ）に示す粒子径と開閉状態の対応テーブルｂに示すような開口状態としても良い。
【００７８】
具体的には、汚れ検出手段１１が検出した最大粒子径が「大」や「極大」の場合、上方に位置する開口部や第一吸込み口６を閉状態とし、他の開口部よりも吸気パネル１０の下方に設けられた開口部１５ｃや開口部１５ｄを開状態とする。
【００７９】
このようにすることで、上方に比較して下方の開口からの吸引力を増加させ、すなわち吸い込む力を下方に集中することで遠方にある大きい（重たい）粒子を引き寄せる力を増大することができる。これにより、大きな粒子に特化した吸引を行うことが可能となる。
【００８０】
なお、上記実施の形態では、サイズが異なる開口部を複数設けたが、サイズではなく開口部の密集度、すなわち数を増やす構成としても良い。具体的には、例えば図２における下方の２つの開口部８ｂと８ａとで図７に示す開口部１５ｄの役目を担う構成としても良い。
【産業上の利用可能性】
【００８１】
本発明に係る空気清浄機は、フィルターの目詰まり状態や室内空間に浮遊する粉塵粒子の状態に基づいて汚れた空気の吸込み箇所を切替える制御を可能とするもので、家庭用や事務所用の加湿機能付き空気清浄機や空気調和機等に用いられる技術として有用である。
【符号の説明】
【００８２】
１    筐体
２    吹出し口
３    送風部
４    空気清浄部
５    制御部
６    第一吸込み口
７    第二吸込み口
８ａ，８ｂ，８ｃ，８ｄ，８ｅ    開口部
９ａ，９ｂ，９ｃ，９ｄ，９ｅ    スライド板
１０    吸気パネル
１１    汚れ検出手段
１２    積算量算出部
１３    吸込み気流
１４    吹出し気流
１５ａ，１５ｂ，１５ｃ，１５ｄ    開口部
１６ａ，１６ｂ，１６ｃ，１６ｄ    スライド板
２０    吸込み口
１００１    空気清浄機
１００２    本体
１００３    集塵フィルター
１００４    脱臭フィルター
１００５    フロントパネル
１００６    空気吸込穴
【図１】
2017080707.tif 000003
【図２】
2017080707.tif 000004
【図３】
2017080707.tif 000005
【図４】
2017080707.tif 000006
【図５】
2017080707.tif 000007
【図６】
2017080707.tif 000008
【図７】
2017080707.tif 000009
【図８】
2017080707.tif 000010
【図９】
2017080707.tif 000011